(57)【特許請求の範囲】
【請求項１】
１つ以上の構成要素を含む中継ノードであって、該１つ以上の構成要素は、
初期化中に、中継ノードとして作動するユーザ機器として該中継ノードを識別する無線リソース制御（ＲＲＣ）接続設定完了メッセージを生成することであって、該ＲＲＣ接続設定完了メッセージを生成することは、該ＲＲＣ接続設定完了メッセージ内のコンテンツを排除することを含み、該ＲＲＣ接続設定完了メッセージ内のコンテンツの欠如は、該中継ノードをユーザ機器として識別する、ことと、
該ＲＲＣ接続設定完了メッセージをアクセスノードに伝送することと
を行うように構成されている、中継ノード。
【請求項２】
前記初期化は、前記中継ノードの無線リソース制御（ＲＲＣ）接続確立段階である、請求項１に記載の中継ノード。
【請求項３】
前記１つ以上の構成要素は、前記アクセスノードに伝送されるランダムアクセスチャネル（ＲＡＣＨ）メッセージ内にプリアンブルを分配するようにさらに構成されている、請求項１に記載の中継ノード。
【請求項４】
前記分配されるプリアンブルは、前記アクセスノードによって示される所定のプリアンブルのプールから採用される、請求項３に記載の中継ノード。
【請求項５】
中継ノードにおいて実装される方法であって、該方法は、
初期化の際に、中継ノードとして作動するユーザ機器として該中継ノードを識別するＲＲＣ接続設定完了メッセージを生成することであって、該ＲＲＣ接続設定完了メッセージを生成することは、該ＲＲＣ接続設定完了メッセージ内のコンテンツを排除することを含み、該ＲＲＣ接続設定完了メッセージ内のコンテンツの欠如は、該中継ノードをユーザ機器として識別する、ことと、
該ＲＲＣ接続設定完了メッセージをアクセスノードに伝送することと
を含む、方法。
【請求項６】
前記初期化は、前記中継ノードの無線リソース制御（ＲＲＣ）接続確立段階である、請求項５に記載の方法。
【請求項７】
ランダムアクセスチャネル（ＲＡＣＨ）メッセージを前記アクセスノードに伝送することをさらに含み、該アクセスノードに対して、前記中継ノードを識別するために、プリアンブルが該ＲＡＣＨメッセージ内に分配される、請求項５に記載の方法。
【請求項８】
前記分配されるプリアンブルは、前記アクセスノードによって示される所定のプリアンブルのプールから採用される、請求項７に記載の方法。
【請求項９】
プログラムを格納したコンピュータ読み取り可能な記憶デバイスであって、
該プログラムは、プロセッサによって実行されると、中継ノードにおいて実装された方法を実装し、該方法は、
初期化の際に、中継ノードとして作動するユーザ機器として該中継ノードを識別するＲＲＣ接続設定完了メッセージを生成することであって、該ＲＲＣ接続設定完了メッセージを生成することは、該ＲＲＣ接続設定完了メッセージ内のコンテンツを排除することを含み、該ＲＲＣ接続設定完了メッセージ内のコンテンツの欠如は、該中継ノードをユーザ機器として識別する、ことと、
該ＲＲＣ接続設定完了メッセージをアクセスノードに伝送することと
を含む、コンピュータ読み取り可能な記憶デバイス。
【請求項１０】
前記ＲＲＣ接続設定完了メッセージは、任意の情報要素を有しないダミーメッセージである、請求項９に記載のコンピュータ読み取り可能な記憶デバイス。
【請求項１１】
前記方法は、前記アクセスノードに伝送されるランダムアクセスチャネル（ＲＡＣＨ）メッセージをエンコードすることをさらに含み、該アクセスノードに対して、前記中継ノードを識別するために、プリアンブルが、該ＲＡＣＨメッセージ内に分配される、請求項９に記載のコンピュータ読み取り可能な記憶デバイス。
【請求項１２】
前記分配されるプリアンブルは、所定のプリアンブルのプールから採用される、請求項１１に記載のコンピュータ読み取り可能な記憶デバイス。
【請求項１３】
１つ以上の構成要素を含むアクセスデバイスであって、該１つ以上の構成要素は、
初期化段階の際に、中継ノードからＲＲＣ接続設定完了メッセージを受信することと、
該メッセージから、中継ノードとして作動するユーザ機器として該中継ノードを識別することと、
該ＲＲＣ接続設定完了メッセージ内のコンテンツの欠如に基づいて、該中継ノードが該ＲＲＣ接続設定完了メッセージのソースであることを決定することと
を行うように構成されている、アクセスデバイス。
【請求項１４】
前記初期化段階は、前記中継ノードの無線リソース制御（ＲＲＣ）接続確立段階である、請求項１３に記載のアクセスデバイス。
【請求項１５】
前記アクセスノードは、ランダムアクセスチャネル（ＲＡＣＨ）メッセージを受信するように構成され、前記１つ以上の構成要素は、該ＲＡＣＨメッセージ内のプリアンブルをデコードすることによって、前記中継ノードを識別する、請求項１３に記載のアクセスデバイス。
【請求項１６】
前記プリアンブルは、前記アクセスノードによって示される所定のプリアンブルのプールから採用される、請求項１５に記載のアクセスデバイス。
【請求項１７】
前記ＲＲＣ接続設定完了メッセージは、任意の情報要素（ＩＥ）を有しないダミーメッセージである、請求項１に記載の中継ノード。
【請求項１８】
前記ＲＲＣ接続設定完了メッセージ内のコンテンツを排除することは、該ＲＲＣ接続設定完了メッセージ内に任意の設定可能なフィールドを設定しないことを含む、請求項１に記載の中継ノード。
【請求項１９】
前記ＲＲＣ接続設定完了メッセージは、任意の情報要素（ＩＥ）を有しないダミーメッセージである、請求項５に記載の方法。
【請求項２０】
前記ＲＲＣ接続設定完了メッセージ内のコンテンツを排除することは、該ＲＲＣ接続設定完了メッセージ内の任意のフィールドに値を設定しないことを含む、請求項５に記載の方法。
【請求項２１】
前記ＲＲＣ接続設定完了メッセージ内のコンテンツを排除することは、該ＲＲＣ接続設定完了メッセージ内に任意の設定可能なフィールドを設定しないことを含む、請求項９に記載のコンピュータ読み取り可能な記憶デバイス。
【請求項２２】
前記ＲＲＣ接続設定完了メッセージは、任意の情報要素（ＩＥ）を有しないダミーメッセージである、請求項１３に記載のアクセスデバイス。
【発明の詳細な説明】
【背景技術】
【０００１】
本明細書で使用される場合、用語「モバイルステーション（ＭＳ）」、「ユーザエージェント（ＵＡ）」、および「ユーザ機器（ＵＥ）」は、ある場合には、電気通信能力を有する、携帯電話、携帯情報端末、携帯式またはラップトップコンピュータ、および類似のデバイス等のモバイルデバイスを指す場合がある。そのようなＭＳは、ＭＳと、加入者識別モジュール（ＳＩＭ）アプリケーション、汎用加入者識別モジュール（ＵＳＩＭ）アプリケーション、または可撤性ユーザ識別モジュール（Ｒ−ＵＩＭ）アプリケーションを含む、汎用集積回路カード（ＵＩＣＣ）等が挙げられるが、これに限定されない、その関連する可撤性メモリモジュールとから成る場合がある。本明細書で使用される場合、用語「ＳＩＭ」はまた、「ＵＳＩＭ」を指し得、用語「ＵＳＩＭ」はまた、「ＳＩＭ」を指し得る。代替として、そのようなＭＳは、そのようなモジュールを伴わないデバイス自体から成る場合がある。他の場合において、用語「ＭＳ」は、デスクトップコンピュータ、セットトップボックス、またはネットワーク機器等の携帯可能ではないが、類似した能力を有するデバイスを指す場合がある。用語「ＭＳ」はまた、ユーザのために、通信セッションを終了することが可能な、任意のハードウェアまたはソフトウェア構成要素を指すことが可能である。また、用語「ＭＳ」、「ＵＥ」、「ユーザエージェント（ＵＡ）」、「ユーザデバイス」、および「ユーザノード」は、本明細書で同義的に使用される場合がある。
【０００２】
電気通信技術の進化に伴って、より高度なネットワークアクセス機器が導入され、以前には可能ではなかったサービスが提供可能となっている。本ネットワークアクセス機器は、従来の無線電気通信システム内の同等機器の改良である、システムおよびデバイスを含む場合がある。そのような高度または次世代機器は、ロングタームエボリューション（ＬＴＥ）またはＬＴＥ−アドバンスト（ＬＴＥ−Ａ）等の進化型無線通信規格に含まれ得る。例えば、ＬＴＥまたはＬＴＥ−Ａシステムは、従来の基地局ではなく、進化型汎用地上無線アクセスネットワーク（Ｅ−ＵＴＲＡＮ）ノードＢ（ｅＮＢ）、無線アクセスポイント、または類似構成要素を含む場合がある。
【０００３】
本明細書で使用される場合、用語「アクセスノード」は、ＭＳまたは中継ノードに、電気通信システム内の他の構成要素にアクセスさせる、受信および伝送範囲の地理的面積を生成する、従来の基地局、無線アクセスポイント、あるいはＬＴＥまたはＬＴＥ−ＡｅＮＢ等の無線ネットワークの任意の構成要素を指す。本書では、用語「アクセスノード」は、複数のハードウェアおよびソフトウェアを備え得る。アクセスノード、コアネットワーク構成要素、または他のデバイスは、セルとして知られる面積内に無線通信リソースを提供し得る。
【０００４】
ＬＴＥまたはＬＴＥ−Ａシステムは、ＭＳとアクセスノード、または中継ノード、あるいは他のＬＴＥ機器との間の無線リソースの割当、構成、および解放に関与する、無線リソース制御（ＲＲＣ）プロトコル等のプロトコルを含むことが可能である。ＲＲＣプロトコルは、第三世代パートナーシッププロジェクト（３ＧＰＰ）技術規格（ＴＳ）３６．３３１に詳述されている。
【０００５】
ＭＳ、中継ノード、およびアクセスノード間でデータを搬送する信号は、周波数、時間、およびコーディングのパラメータ、ならびにネットワークノードによって指定され得る他の特徴を有することが可能である。そのような特徴の指定セットを有する、これらの要素のいずれか間の接続は、リソースと称されることが可能である。用語「リソース」、「通信接続」、「チャネル」、および「通信リンク」は、本明細書では、同義的に使用される場合がある。ネットワークノードは、典型的には、それと任意の特定の時間で通信する、各ＭＳまたは他のネットワークノードのための異なるリソースを確立する。
【０００６】
用語「アクセスノード」は、アクセスノードまたは別の中継ノードによって生成される範囲を拡大あるいは拡張するように構成される、無線ネットワーク内の構成要素である、「中継ノード」を指さない場合がある。アクセスノードおよび中継ノードは両方とも、無線通信ネットワーク内に存在し得る、無線構成要素であって、用語「構成要素」および「ネットワークノード」は、アクセスノードまたは中継ノードを指し得る。構成要素は、その構成および設置に応じて、アクセスノードまたは中継ノードとして動作する場合がある。しかしながら、構成要素が、無線通信システム内の他の構成要素にアクセスするために、アクセスノードまたは他の中継ノードの無線範囲を必要とする場合のみ、構成要素は、「中継ノード」と呼ばれる。加えて、２つ以上の中継ノードが、アクセスノードによって生成される範囲を拡大または拡張するために直列に使用され得る。
【発明の概要】
【課題を解決するための手段】
【０００７】
最初に、本開示の１つ以上の実施形態の例証的実装が、以下に提供されるが、開示されるシステムおよび／または方法は、現在公知であるか、存在しているかに関わらず、任意の数の技術を使用して実装され得ることを理解されたい。本開示は、本明細書に例証され、説明される例示的設計および実装を含む、以下に例証される例証的実装、図面、および技術に、いかようにも限定されるべきではなく、添付の請求項の範囲とともに、その均等物の完全範囲内で修正され得る。
【０００８】
以下の用語は、本明細書で使用される、以下の定義を有する。そのような用語が、３ＧＰＰ技術規格（ＴＳ）において使用されている場合、これらの用語は、３ＧＰＰＴＳに提供される定義と同等である。
【０００９】
「ＣＱＩ」は、「チャネルの質インジケータ」として定義される。
【００１０】
「ＣＲＳ」は、「共通基準信号」として定義される。
【００１１】
「ＤＬ」は、「ダウンリンク」として定義される。
【００１２】
「ＤＲＸ」は、「間欠受信」として定義される。
【００１３】
「ＥＣ」は、「確立原因」として定義される。
【００１４】
「ｅＮＢ」は、「進化型ノードＢ」として定義される。
【００１５】
「ＥｏＲ」は、「ＥＮＢまたはＲＮ」として定義される。
【００１６】
「Ｌ１Ｒｅｌａｙ」または「層１ＲＮ」は、「層１中継ノード」として定義される。
【００１７】
「Ｌ２Ｒｅｌａｙ」または「層２ＲＮ」は、「層２中継ノード」として定義される。
【００１８】
「Ｌ３Ｒｅｌａｙ」または「層３ＲＮ」は、「層３中継ノード」として定義される。
【００１９】
「ＬＴＥ」は、「ロングタームエボリューション」として定義される。
【００２０】
「ＬＴＥ−Ａ」は、「ＬＴＥ−アドバンスト」として定義される。
【００２１】
「ＭＡＣ」は、「媒体アクセス制御」として定義される。
【００２２】
「ＭＩＢ」は、「マスタ情報ブロック」として定義される。
【００２３】
「ＭＭＥ」は、「移動管理エンティティ」として定義される。
【００２４】
「ＮＡＳ」は、「非アクセス階層」として定義される。
【００２５】
「ＰＤＣＣＨ」は、「物理的ダウンリンク制御チャネル」として定義される。
【００２６】
「ＰＨＹ」は、「物理層」として定義される。
【００２７】
「ＲＡ」は、「ランダムアクセス」として定義される。
【００２８】
「ＲＡＣＨ」は、「ランダムアクセスチャネル」として定義される。
【００２９】
「ＲＡＲ」は、「ランダムアクセス応答」として定義される。
【００３０】
「ＲＮ」は、「中継ノード」として定義される。
【００３１】
「ＲＲＣ」は、「無線リソース制御」として定義される。
【００３２】
「ＳＩＢ」は、「システム情報ブロック」として定義される。
【００３３】
「ＳＲＳ」は、「サウンディング基準信号」として定義される。
【００３４】
本明細書に説明される実施形態は、無線通信ネットワークにおける、中継ノード（ＲＮ）の使用に関する。実施形態はさらに、ＲＮの初期化プロシージャに関する。実施形態はまた、ＭＳをＲＮおよび／またはｅＮＢと関連付けるプロシージャ、および／または切り離すためのプロシージャに関する。
【００３５】
実施形態は、ＲＮのための初期化プロシージャを行なうために、少なくとも３つの異なる技法を提供する。ある実施形態では、ｅＮＢは、検出されたＲＡＣＨプリアンブルに応答して、ＲＡＣＨ応答をＲＮに送信し得る。ＲＮが、ＲＲＣ接続要求メッセージを返信すると、ＲＮは、ＭＳとは対照的に、ＲＲＣ接続要求の確立原因に値を追加することによって、ｅＮＢに対して、ＲＮとして、自身を識別するであろう。別の実施形態では、ＲＮは、コンテンツが空であるＲＲＣ接続設定完了メッセージをｅＮＢに送信し得る。このように、ｅＮＢは、ＭＳとは対照的に、ＲＡＣＨプロシージャが、ＲＮによって始動されることを把握する。さらに別の実施形態では、所定のセットのプリアンブルが、ＲＮのために分配される（ｅＮＢと関連付けられた利用可能なＲＡＣＨプリアンブルから）。ｅＮＢが、分配されたＲＡＣＨプリアンブルが、ＲＮのために指定されたＲＡＣＨプリアンブルのプールに属することを検出すると、ｅＮＢは、拡張パケットコア（ＥＰＣ）によって、ＮＡＳ設定プロシージャを開始しないであろう。ｅＮＢはまた、ＲＮのタイプに適切なＥＰＣによって、ＮＡＳ設定プロシージャを開始するであろう。いくつかの他の実施形態では、ＲＮをＭＳと区別するための表示が、上述のそれらの信号伝達の他に、初期化プロシージャの際、他の信号伝達によって送信可能である。
【００３６】
ＭＳをＲＮおよび／またはｅＮＢと関連付けおよび／または切り離す場合、少なくとも３つの技法が使用され、関連付けおよび／または切り離しを達成し得る。ＭＳは、複数のＲＮと、また、ｅＮＢとも関連付けられてもよいことに留意されたい。一実施形態では、ＭＳのＲＮへの関連付けは、ＭＳアップリンクＳＲＳ信号の受信した信号の質に基づく。例えば、既存の関連付けられたＭＳのＳＲＳ信号の平均的受信信号強度（または、一般に、信号対干渉雑音比（ＳＩＮＲ）等の受信の質を表す、任意のインジケータ）が、強い、またはいくつかの所定の閾値より強い時、ＲＮは、ｅＮＢが、ＭＳをＲＮに関連付けることを要求する。対照的に、ＳＲＳ信号の質が、弱過ぎる、またはいくつかの所定の閾値より弱くなる場合、ＲＮは、ｅＮＢに、ＭＳをＲＮから切り離すことを要求し得る。
【００３７】
ＭＳから受信されるＳＲＳ信号の受信の質が、強過ぎる、または弱過ぎるかどうかを決定するために、ＲＮによって使用される閾値は、ｅＮＢによって、静的、準静的、または動的に構成可能である。別の実施形態では、ＲＮは、測定されたＳＲＳ信号強度をｅＮＢに報告し、ｅＮＢは、ＭＳが、ＲＮおよび／またはｅＮＢのいずれかと関連付けられるべきかどうかを決定する。一実施形態では、ｅＮＢにおける決定は、ＲＮおよびｅＮＢで受信されたＳＲＳの相対的信号強度の比較に基づくことが可能である。別の実施形態では、関連付けおよび／または切り離しは、ＲＡＣＨ信号に基づく。関連付けまたは切り離しは、ＭＳから直接受信された信号の質と、中継されたＲＡＣＨプリアンブルＣＱＩの組み合わせに基づき得る。さらに別の実施形態では、ＳＲＳ信号強度とＲＡＣＨプリアンブルの組み合わせを使用して、ＲＮに、ＭＳをＲＮと関連付ける、または切り離すように、ｅＮＢに要求するように指示し得る。別の実施形態では、ＲＮによって、ｅＮＢに中継されたＳＲＳ信号強度およびＲＡＣＨプリアンブルと、ｅＮＢで直接受信されたそれらの組み合わせが、ＭＳがＲＮと関連付けられる、または切り離されるべきかどうかを決定するために、ｅＮＢによって使用され得る。
【００３８】
実施形態は、ｅＮＢへの接続またはその使用を想定するが、実施形態はまた、異なるタイプのアクセスノードへの接続またはその使用も想定する。したがって、本明細書で使用される場合、用語「ｅＮＢ」はまた、「アクセスノード」を意味し、通信ネットワーク内の任意のタイプのアクセスデバイスを含み得る。他のタイプのアクセスノードの実施例は、層３中継ノード、コアネットワーク、移動管理エンティティ、およびその他を含む。
例えば、本発明は以下の項目を提供する。
（項目１）
中継ノードであって、
アクセスノードに伝送されるメッセージをエンコードするように構成された１つ以上の構成要素を備え、
該メッセージは、中継ノードの初期化中に、該中継ノードを中継ノードとして識別するために使用される、
中継ノード。
（項目２）
前記中継ノードの初期化は、該中継ノードの無線リソース制御（ＲＲＣ）接続確立段階である、項目１に記載の中継ノード。
（項目３）
前記１つ以上の構成要素は、前記中継ノードを中継ノードとして識別するために、前記メッセージ内に表示を含むことによって、該中継ノードが中継ノードとして識別されるようにするようにさらに構成されている、項目１に記載の中継ノード。
（項目４）
前記メッセージ内に含まれる前記表示は、前記アクセスノードに伝送されるＲＲＣ接続要求メッセージ内の確立原因に追加される値である、項目３に記載の中継ノード。
（項目５）
前記表示は、前記アクセスノードに伝送されるＲＲＣ接続設定完了メッセージ内のモバイルステーションに関連する情報を排除することによって、該メッセージ内に含まれる、項目３に記載の中継ノード。
（項目６）
前記１つ以上の構成要素は、前記アクセスノードに伝送されるランダムアクセスチャネル（ＲＡＣＨ）メッセージ内にプリアンブルを分配するようにさらに構成されている、項目１に記載の中継ノード。
（項目７）
分配されるプリアンブルは、前記アクセスノードによって示される所定のプリアンブルのプールから採用される、項目６に記載の中継ノード。
（項目８）
中継ノードにおいて実装される方法であって、
アクセスノードに伝送されるメッセージをエンコードするステップを含み、
該メッセージは、該中継ノードの初期化の際に、該中継ノードを中継ノードとして識別する、方法。
（項目９）
前記中継ノードの初期化は、該中継ノードの無線リソース制御（ＲＲＣ）接続確立段階である、項目８に記載の方法。
（項目１０）
前記中継ノードは、該中継ノードを中継ノードとして識別するために、前記メッセージ内に表示を含むことによって、中継ノードとして識別される、項目８に記載の方法。
（項目１１）
前記メッセージ内に含まれる前記表示は、前記アクセスノードに伝送されるＲＲＣ接続要求メッセージ内の確立原因に追加される値である、項目１０に記載の方法。
（項目１２）
前記表示は、前記アクセスノードに伝送されるＲＲＣ接続設定完了メッセージ内のモバイルステーションに関連する情報を排除することによって、該メッセージ内に含まれる、項目１０に記載の方法。
（項目１３）
前記メッセージは、ランダムアクセスチャネル（ＲＡＣＨ）メッセージを含み、前記アクセスノードに対して、前記中継ノードが中継ノードであることを識別するために、プリアンブルが該ＲＡＣＨメッセージ内に分配される、項目８に記載の方法。
（項目１４）
分配されるプリアンブルは、前記アクセスノードによって示される所定のプリアンブルのプールから採用される、項目１３に記載の方法。
（項目１５）
プログラムを格納したコンピュータ可読記憶媒体であって、
該プログラムは、プロセッサによって実行されると、中継ノードにおいて実装された方法を実装し、該方法は、
該中継ノードの初期化の際に、該中継ノードを中継ノードとして識別するメッセージをエンコードするステップを含む、
コンピュータ可読記憶媒体。
（項目１６）
前記メッセージは、ＲＲＣ接続要求メッセージを含み、前記アクセスノードに対して、前記中継ノードが中継ノードであることを識別するために、値が前記ＲＲＣ接続要求メッセージ内の確立原因に追加される、項目１５に記載のコンピュータ可読記憶媒体。
（項目１７）
前記メッセージは、ＲＲＣ接続設定完了メッセージを含み、前記中継ノードは、該ＲＲＣ接続設定完了がコンテンツを欠いている場合に、アクセスノードに対して中継ノードとして識別される、項目１５に記載のコンピュータ可読記憶媒体。
（項目１８）
前記メッセージは、ランダムアクセスチャネル（ＲＡＣＨ）メッセージを含み、アクセスノードに対して、前記中継ノードが中継ノードであることを識別するために、プリアンブルが、該ＲＡＣＨメッセージ内に分配される、項目１５に記載のコンピュータ可読記憶媒体。
（項目１９）
分配されるプリアンブルは、所定のプリアンブルのプールから採用される、項目１８に記載のコンピュータ可読記憶媒体。
（項目２０）
アクセスデバイスであって、１つ以上の構成要素を備え、
該１つ以上の構成要素は、中継ノードから受信したメッセージをデコードし、該メッセージから、該中継ノードを中継ノードとして識別するように構成されている、
アクセスデバイス。
（項目２１）
前記中継ノードの初期化が、該中継ノードの無線リソース制御（ＲＲＣ）接続確立段階である、項目２０に記載のアクセスデバイス。
（項目２２）
前記中継ノードは、該中継ノードを中継ノードとして識別するために、前記メッセージ内に表示を含むことによって、中継ノードとして識別される、項目２０に記載のアクセスデバイス。
（項目２３）
前記メッセージ内に含まれる前記表示は、前記アクセスデバイスに伝送されるＲＲＣ接続要求メッセージ内の確立原因に追加される値である、項目２１に記載のアクセスデバイス。
（項目２４）
前記表示は、前記アクセスデバイスに伝送されるＲＲＣ接続設定完了メッセージ内のモバイルステーションに関連する情報を排除することによって、該メッセージ内に含まれる、項目２１に記載のアクセスデバイス。
（項目２５）
前記メッセージは、ランダムアクセスチャネル（ＲＡＣＨ）メッセージを含み、前記１つ以上の構成要素は、該ＲＡＣＨメッセージ内のプリアンブルをデコードすることによって、前記中継ノードを中継ノードとして識別する、項目２０に記載のアクセスデバイス。
（項目２６）
前記プリアンブルは、前記アクセスノードによって示される所定のプリアンブルのプールから採用される、項目２５に記載のアクセスデバイス。
【図面の簡単な説明】
【００３９】
本開示をより完全に理解するために、添付の図面および発明を実施するための形態と併せて理解される、以下の簡単な説明を参照する（類似参照数字は、類似部品を表す）。
【図１】図１は、本開示のある実施形態による、中継ノードを使用する、無線通信システムを例証する、ブロック図である。
【図２】図２は、本開示のある実施形態による、ＲＮ、ｅＮＢ、およびＭＭＥ間の通信プロシージャを示す。
【図３】図３は、本開示のある実施形態による、ＲＲＣ接続要求メッセージのための例示的疑似コードを示す。
【図４】図４は、本開示のある実施形態による、ＲＮ、ｅＮＢ、およびＭＭＥ間の通信プロシージャを示す。
【図５】図５は、本開示のある実施形態による、ＲＮ、ｅＮＢ、およびＭＭＥ間の通信プロシージャを示す。
【図６】図６は、本開示のある実施形態による、複数のＭＳ、ＲＮ、およびｅＮＢ間の通信を示す。
【図７】図７は、本開示のある実施形態による、ＭＳ、ＲＮ、およびｅＮＢ間の通信を示す。
【図８】図８は、タイプ２ＲＮを初期化するための方法を示す工程図である。
【図９】図９は、ＲＮをＭＳと関連付けるための方法を示す工程図である。
【図１０】図１０は、ＲＮをＭＳと関連付けるための方法を示す工程図である。
【図１１】図１１は、本明細書に開示される１つ以上の実施形態を実装するために好適な処理構成要素を含むシステムの実施例を示す。
【発明を実施するための形態】
【００４０】
図１は、本開示のある実施形態による、中継ノード１０２を使用する無線通信システム１００を例証する、ブロック図である。概して、本開示は、無線通信ネットワーク内の中継ノードの使用に関する。無線通信ネットワークの実施例は、ＬＴＥまたはＬＴＥ−アドバンスト（ＬＴＥ−Ａ）ネットワークを含み、開示および請求される実施形態はすべて、ＬＴＥ−Ａネットワーク内で実装され得る。中継ノード１０２は、ＭＳ１１０から受信した信号を増幅、反復、復調、デコード、再エンコード、および／または再変調し、修正信号をアクセスノード１０６で受信させることが可能である。中継ノード１０２のいくつかの実装では、中継ノード１０２は、ＭＳ１１０からのデータを伴う信号を受信し、次いで、新しい信号を生成し、データをアクセスノード１０６に伝送する。中継ノード１０２はまた、アクセスノード１０６からデータを受信し、データをＭＳ１１０に配信可能である。中継ノード１０２は、ＭＳ１１０が、セルに対するアクセスノード１０６と直接通信するのではなく、中継ノード１０２と通信可能なように、そのセルのエッジ近傍に設置される場合がある。
【００４１】
無線システムでは、セルは、受信および伝送範囲の地理的面積である。セルは、相互に重複可能である。典型的実施例では、各セルと関連付けられた１つのアクセスノードが存在する。セルのサイズは、周波数帯域、ピーク伝送電力レベル、およびチャネル条件等の要因によって決定される。中継ノード１０２等の中継ノードは、セル内またはその近傍の範囲を拡張するため、あるいはセルの範囲のサイズを拡大するために使用可能である。加えて、ＭＳ１１０は、ＭＳ１１０が、セルに対するアクセスノード１０６と直接通信する時に使用し得るものより、高データ速度または低伝送電力において、中継ノード１０２にアクセス可能であるため、中継ノード１０２の使用は、そのセル内の信号のスループットを拡張可能となる。同帯域幅内のより高いデータ速度における伝送は、より高いスペクトル効率をもたらし、より低い電力は、小バッテリ電力を消費することによって、ＭＳ１１０に利益となる。
【００４２】
中継ノードは、概して、３つのタイプに分割可能である。すなわち、層１中継ノード、層２中継ノード、および層３中継ノードである。層１中継ノードは、本質的には、増幅および若干の遅延以外、どんな修正も行うことなく、伝送を再送可能である、リピータである。層２中継ノードは、受信した伝送を復調／デコードし、デコードの結果を再エンコード・変調し、次いで、変調されたデータを伝送可能である。層３中継ノードは、完全無線リソース制御能力を有し、したがって、アクセスノードと同様に機能可能である。層３中継ノードによって使用される無線リソース制御プロトコルは、アクセスノードによって使用されるものと同一であり得、中継ノードは、典型的には、アクセスノードによって使用される、一意のセル識別を有し得る。タイプ１中継ノードは、その独自の物理的セル識別および完全ＲＲＣプロトコルスタックを有する層３中継ノードであるように定義可能である。本開示の目的のために、中継ノードは、少なくとも１つのアクセスノード（および、アクセスノードと関連付けられたセル）と、可能性として、電気通信システム内の他の構成要素にアクセスするための他の中継ノードの存在を要求するという事実によって、アクセスノードと区別される。
【００４３】
例証的実施形態は、主に、タイプ２中継ノードに関係している。タイプ２中継ノードは、以下の特徴によって定義される、層２中継ノードである：タイプ２中継ノードは、アクセスノードと別個の物理的セル識別を有しておらず、したがって、任意の新しいセルを生成しないであろう。タイプ２中継ノードは、レガシー（ＬＴＥリリース８）ＭＳへ／から中継可能であるべきであって、レガシーＭＳは、タイプ２中継ノードの存在を認知しないはずである。実施形態は、他のタイプの中継ノードにも同様に適用し得る。
【００４４】
通信システム１００では、無線通信を可能にするリンクは、３つの個別のタイプが存在すると言える。第１に、ＭＳ１１０が、中継ノード１０２を介して、アクセスノード１０６と通信時、ＭＳ１１０と中継ノード１０２との間の通信リンクは、アクセスリンク１０８を経由して生じると言える。第２に、中継ノード１０２とアクセスノード１０６との間の通信は、中継リンク１０４を経由して生じると言える。第３に、中継ノード１０２を通過せず、ＭＳ１１０とアクセスノード１０６との間を直接通る通信は、直接リンク１１２を経由して生じると言える。用語「アクセスリンク」、「中継リンク」、および「直接リンク」は、本書では、図１によって説明される意味に従って使用される。
【００４５】
図２は、本開示のある実施形態による、ＲＮ、ｅＮＢ、およびＭＭＥ間の通信プロシージャを示す。ＲＮ２００、ｅＮＢ２０２、およびＭＭＥ２０４は、無線通信ネットワーク内の構成要素である。ＲＮ２００は、図１におけるＲＮ１０２に対応し得、ｅＮＢ２０２もまた、図１におけるアクセスノード１０６と対応し得る。ＭＭＥ２０４は、ハードウェア、ソフトウェア、またはそれらの組み合わせの形態をとり得る、コアネットワークの構成要素である。図２に関して説明される実施形態では、ＲＮ２００は、タイプ２中継ノードである。図２に示される実施形態は、タイプ２中継ノードの初期化の際に使用され得る。
【００４６】
本明細書に説明される実施形態では、ＲＮ２００は、サービングｅＮＢ２０２のものと異なるセル識別を有しておらず、したがって、任意の新しいセルを生成しないであろう。ＲＮ２００は、３ＧＰＰＴＳのリリース８に準拠するＭＳへおよびそこからの通信を中継可能であり得る。しかしながら、リリース８準拠ＭＳは、ＲＮ２００の存在を認知しなくてもよい。
【００４７】
ＲＮ２００によって直面される問題は、ｅＮＢ２０２と通信を初期確立することから開始し得る、ＲＮ２００を無線通信ネットワークに初期接続するプロセスである、初期化である。ある実施形態では、ＲＮ２００は、無線通信ネットワークに接続する時、ＭＳによって行なわれるランダムアクセスプロシージャと類似する、ランダムアクセスプロシージャを行なう。ランダムアクセスプロシージャは、特に、ＲＮの場所が固定されていない、移動性または非常駐である、ＲＮに好適であるが、それらに限定されない。
【００４８】
ある実施形態では、ランダムアクセスプロシージャは、以下のように進められる。最初に、ＲＮ２００は、ＲＮ２００が、無線通信ネットワークへのアクセスを初期試行する時、ｅＮＢ２０２に登録する。次いで、一意のセットのＲＮＴＩが、ＲＮ２００にサービングするドナーまたは現在のセル内のｅＮＢ２０２によって、ＲＮ２００に割り当てられる。ＲＮ２００の識別は、ＲＲＣ設定プロシージャ中に、追加のパラメータを通して行なわれ得る。ＭＳと同様に、ＲＮ２００は、別のｅＮＢまたはタイプ１ＲＮからハンドオーバされ得る。いずれのＭＳも、所定の時間の間、ＲＮ２００によってサービングされない場合、ＲＮ２００は、アイドルモードに入り得る。このように、該当する場合、移動性ＲＮまたは非常駐ＲＮ、あるいは一般に、任意のバッテリ電力作動ＲＮのためのバッテリ寿命は、保存され得る。ある実施形態では、ＲＮ２００が接続されるｅＮＢ２０２のみ、ＲＮ２００の存在を認知する。無線通信ネットワーク内の他のデバイスは、ＲＮ２００を認知しなくてもよい。アイドルモードにある間、ＲＮは、ｅＮＢからのＤＬ伝送およびＵＥからのＵＬ  ＲＡＣＨ伝送を周期的に確認し続け得る。周期的ウェークアップサイクルは、ｅＮＢによって制御される。ＤＬまたはＵＬ上で受信を感知すると直ぐに、ＲＮは、可能な限り迅速にアイドルモードから退出し得る。ＲＮは、アイドルモードから出る場合、ｅＮＢとＲＡＣＨプロシージャを始動する必要があり得る。
【００４９】
したがって、ＲＮ２００が、初期アクティブ化される場合、ＲＮ２００は、ＭＳに酷似した挙動をする。ＲＮ２００は、許可されたＲＡＣＨプリアンブルのうちの１つをランダムにピックアップし、アップリンクサブフレーム内のランダムに選択されたＲＡＣＨ分配中に伝送するであろう。ある実施形態では、ＲＮ２００は、ｅＮＢ２０２からＭＩＢ２０６およびＳＩＢ１２０８をリッスンする前に、ＤＬフレーム同期を得る。ＲＡＣＨ構成パラメータは、ＳＩＢ２２１０をリッスン後、ＲＮ２００に既知となる。
【００５０】
例示的初期化プロシージャに戻ると、ＲＮ２００は、ＲＡＣＨメッセージ２１２で示されるように、ＲＡＣＨによって、ネットワークへのアクセスを試行する。ＲＮ２００からの検出されたＲＡＣＨプリアンブルに応答して、ｅＮＢ２０２は、ＲＡＣＨ応答（ＲＡＲ）２１４をＲＮ２００に送信する。ＲＡＣＨ応答は、ＭＳがＲＲＣ接続プロシージャを始動するためのＵＬリソースを分配する。次いで、ＲＮ２００は、ＲＲＣ接続要求メッセージ２１６を送信することによって開始するＲＲＣ接続設定プロシージャを始動し、ｅＮＢ２０２に対して、ＲＮとして、自身を識別する。「ＲＮアクセス」等の新しい値が、ＲＲＣ接続要求メッセージ２１６内の確立原因（ＥＣ）に追加され得る。この新しい値は、ｅＮＢ２０２に、ＭＳとは対照的に、ＲＮ２００がＲＮであることを通知する。
【００５１】
応答において、ｅＮＢ２０２は、ＲＲＣ接続設定メッセージ２１８をＲＮ２００に送信する。ＲＮ２００は、ＲＲＣ接続設定完了メッセージ２２０をｅＮＢ２０２に送信することによって、初期化プロシージャを完了する。
【００５２】
図３は、本開示のある実施形態による、ＲＲＣ接続要求メッセージのための例示的疑似コードを示す。図３に示される疑似コード３００は、図２のＲＮ２００等のＲＮ内で格納、生成、および／または実行され、ｅＮＢ２０２等のｅＮＢに伝送され得る。
【００５３】
図２に関して説明されるように、新しい「ＲＮアクセス」値３０２は、ＲＲＣ接続要求メッセージの確立原因に追加されている。確立原因は、受信デバイスに、接続要求のための１つ以上の理由を通知するメッセージである。接続要求のための理由を把握することによって、ｅＮＢは、受信接続要求を適切に処理し得る。
【００５４】
この場合、ＲＮアクセス値３０２は、図２のｅＮＢ２０２等のｅＮＢに、ＲＲＣ接続要求メッセージを伝送するデバイスが、ＭＳとは対照的に、ＲＮであることを把握させる。したがって、ｅＮＢは、ＭＳとは対照的に、ＲＮとして、それに応じで応答し、伝送デバイスを管理し得る。ＲＮアクセスは、異なる実施形態では、異なる値を有し得る。さらに、本開示は、他のメッセージおよびフォーマットもまた、他の実施形態でも使用され得るため、図３のメッセージの詳細にのみ限定されるべきではない。
【００５５】
図４は、本開示のある実施形態による、ＲＮ、ｅＮＢ、およびＭＭＥ間の通信プロシージャを示す。図４に示される通信プロシージャは、図２に示される通信プロシージャに類似する。図２において使用される参照番号に対応する、図４における参照番号は、類似プロパティを有する。図４に示される実施形態は、タイプ２中継ノードの初期化の際に使用され得る。
【００５６】
本実施形態では、ｅＮＢ２０２は、ＲＲＣ接続設定完了メッセージ２２０のコンテンツによって、ＭＳとは対照的に、ＲＮ２００がＲＮであることを通知され得る。ＲＲＣ接続設定完了メッセージ２２０が、ＭＳによって送信されるであろう情報を含まない場合、ｅＮＢ２０２は、ＭＳとは対照的に、ＲＮ２００がＲＮであることを通知され得る。
【００５７】
ＭＳは、通常、ＲＲＣ接続設定完了メッセージ２２０内において、ＮＡＳ接続を設定するための情報を送信する。しかしながら、ＲＮの場合、ＲＲＣ接続設定完了メッセージ２２０は、情報を含まないダミーメッセージであり得る。したがって、ｅＮＢ２０２は、ＲＡＣＨプロシージャが、ＲＮまたはＭＳによって始動されているかどうかを区別するために、この詳細を使用し得る。本実施形態では、ｅＮＢ２０２は、ＲＲＣ接続設定完了メッセージ２２０を受信し、ＲＲＣ接続設定完了メッセージ２２０内のコンテンツまたはコンテンツの欠如に基づいて、送信者が、ＲＮであるかＭＳであるかを決定する。代替実施形態では、ＲＲＣ接続設定完了メッセージ２２０は、ｅＮＢ２０２に、ＭＳとは対照的に、ＲＮ２００がＲＮであることを具体的に通知する、いくつかのコンテンツまたはデータを含み得る。さらに、本開示は、他のメッセージおよびフォーマットもまた、他の実施形態で使用され得るため、ＲＲＣ接続設定完了メッセージ２２０の使用に限定されるべきではない。
【００５８】
図５は、本開示のある実施形態による、ＲＮ、ｅＮＢ、およびＭＭＥ間の通信プロシージャを示す。図５に示される通信プロシージャは、図２に示される通信プロシージャに類似する。図２において使用される参照番号に対応する、図５における参照番号は、類似プロパティを有する。図５に示される実施形態は、タイプ２中継ノードの初期化の際に使用され得る。
【００５９】
図５において示される実施形態の場合、ＲＡＣＨプリアンブルが、ｅＮＢ２０２との初期化中にＲＮ２００をＭＳと区別するために、ＲＡＣＨメッセージ２１２内に分配され得る。ｅＮＢ２０２が、ＲＡＣＨプリアンブルがＲＮのために指定されたＲＡＣＨプリアンブルのプールに属することを検出すると、ｅＮＢは、ＮＡＳ設定プロシージャを始動しないか、または中継のタイプに適切なＮＡＳプロシージャを始動し得る。ｅＮＢ２０２は、接続エンティティがＲＮ２００であるので、ＲＮとして、接続エンティティを取り扱う。ダミーＲＲＣ接続設定メッセージが、ｅＮＢ２０２とＲＮ２００との間のハンドシェイクとして使用可能である。
【００６０】
図１から５に関して説明される実施形態は、ＲＮの初期化の際、ｅＮＢに対して、自身をＭＳと区別するＲＮの実施例を含む。図６および図７に関して説明される実施形態は、ＭＳとタイプ２中継ノードおよび／またはｅＮＢとの関連付けまたは切り離しの実施例を含む。
【００６１】
図６は、本開示のある実施形態による、複数のＭＳ、ＲＮ、およびｅＮＢ間の通信を示す。通信ネットワーク６００は、ｅＮＢ６０２と、ＲＮ０  ６０４およびＲＮ１  ６０６を含む、いくつかのＲＮとを含む。通信ネットワーク６００はまた、ＭＳ０  ６０８、ＭＳ１  ６１０、ＭＳ２  ６１２、ＭＳ３  ６１４、およびＭＳ４  ６１６を含むいくつかのＭＳを含む。通信ネットワーク６００の種々のデバイス間の通信リソースは、雷光記号６１８によって示される。他の実施形態では、通信ネットワーク６００は、デバイスが、コアネットワークまたはＭＭＥに直接接続する場合等、より多くまたはより少ないＲＮ、ＭＳ、およびｅＮＢを含み得る。図７に関して説明される実施形態では、ＲＮ０  ６０４およびＲＮ１  ６０６は、タイプ２中継ノードであり得る。
【００６２】
タイプ２ＲＮは、その独自のＣＲＳを伝送しなくてもよく、その独自のセル識別を有していないため、ＭＳとＲＮの関連付けの決定は、ｅＮＢとＲＮとの間で行なわれるべきである。ＭＳの移動性のため、関連付けは、随時、アップデートされ、ＭＳが、最も望ましいＲＮまたは複数のＲＮと関連付けられる可能性を増大させるべきである。ある場合には、ＭＳは、複数のＲＮと関連付けられ、さらに性能を改善し得る。言い換えると、ｅＮＢおよびＲＮ等の複数のアクセスノードからの協調的通信が存在し得る。
【００６３】
図６に関して説明される実施形態では、ＲＮとのＭＳ関連付けは、ＭＳのアップリンクＳＲＳ信号に基づき得る。比較的に強いＳＲＳ信号、またはヒステリシスマージンの有無を問わず、所定の閾値より高いＳＲＳ信号強度を伴う、ＭＳが検出されると、ＲＮは、ｅＮＢに、関連付け要求を伝送するはずである。関連付け要求は、ｅＮＢに、ＭＳをＲＮと関連付けるための要求であり得る。一方、既存の関連付けられたＭＳのＳＲＳ信号が、ヒステリシスマージンの有無を問わず、所定の閾値によって決定されるように、比較的に弱くなると、ＲＮは、ｅＮＢに、切り離し要求を伝送するはずである。切り離し要求は、ＭＳをＲＮと切り離すためのｅＮＢへの要求であり得る。ＭＳから受信したＳＲＳ信号が、強過ぎる、または弱過ぎるかどうかを決定するために、ヒステリシスマージンの有無を問わず、ＲＮによって使用される閾値は、ｅＮＢによって、静的、準静的、または動的に構成可能である。別の実施形態では、ＲＮは、測定されたＳＲＳ信号強度をｅＮＢに報告し、ｅＮＢは、ＭＳが、ＲＮおよび／またはｅＮＢと関連付けられるべきかどうかを決定する。一実施形態では、ｅＮＢにおける決定は、ＲＮおよびｅＮＢで受信したＳＲＳの相対的信号強度の比較に基づくことが可能である。一般に、ＵＥからのＤＬ測定報告と組み合わされた受信したＳＲＳを介して観察された任意の信号の質インジケータが、ＭＳとノード、ｅＮＢ、およびＲＮのいずれかとの関連付けを継続的にアップデートするために使用されることが可能である。
【００６４】
ＬＴＥまたはＬＴＥ−アドバンストでは、ＭＳは、チャネルの質測定およびアップリンクタイミング予測目的のために、アップリンクＳＲＳを継続して伝送するため、ＳＲＳ信号は、本目的のために使用され得る。ドナーセル内の各ＭＳは、一意のＳＲＳ伝送構成を有し、例えば、伝送コーム、ＳＲＳ持続時間、ＳＲＳ帯域幅、およびその他である。ｅＮＢは、これらのＳＲＳ構成をドナーセル内の１つ以上のＲＮに転送し得る。次いで、ＲＮは、ＳＲＳ「チャネル」内の伝送を監視し、どのＭＳが近傍にあるかを決定し得る。
【００６５】
ある実施形態では、関連付けおよび切り離しは、ＭＳが移動性であり得るという事実のため、所定の周期で、またはイベント駆動式に、アップデートされるべきである。周期的アプローチでは、周期は、ｅＮＢによって信号伝達され得る。対応する測定に基づいて、ｅＮＢは、いくつかのタイプの関連付けを行い得る。
【００６６】
関連付けタイプの１つは、ＭＳが、ｅＮＢのみと関連付けられるものであり得る。この場合、ＲＮは、任意のデータまたは信号伝達を、ＭＳに送信しないことがあり、あるいはＭＳからそれらを検出しないことがある。本関連付けタイプは、「ｅＮＢ専用」関連付けと称され得る。
【００６７】
別の関連付けタイプは、ＭＳが、１つ以上のＲＮと関連付けられるものであり得る。この場合、無線伝送が、ｅＮＢにおいてスケジューリングされ得る。情報は、１つ以上のＲＮを通して、ＭＳに透過的に中継され得る。本関連付けタイプは、「ＲＮ専用」関連付けと称され得る。
【００６８】
さらに別の関連付けタイプは、ＭＳが、ｅＮＢおよび１つ以上のＲＮの両方と関連付けられるものであり得る。この場合、無線伝送は、協調的マルチポイント伝送を使用する、ｅＮＢおよび１つ以上のＲＮからのものであり得る。本関連付けタイプは、「多重関連付け」と称され得る。
【００６９】
例えば、図６を参照すると、ＭＳ０  ６０８は、上述のｅＮＢ専用関連付けに対応する、ｅＮＢ６０２とのみ関連付けられる。対照的に、ＭＳ１  ６１０およびＭＳ２  ６１２は、上述のＲＮ専用関連付けに対応する、ＲＮＲＮ０  ６０４およびＲＮ１  ６０６とのみ関連付けられる。しかしながら、ＭＳ３  ６１４およびＭＳ４  ６１６は、上述の多重関連付けに対応する、ｅＮＢ６０２とＲＮ０  ６０４およびＲＮ１  ６０６との両方と関連付けられる。全３つの関連付けタイプでは、ＭＳのための関連付けは、ＭＳが、物理的に、ネットワークをトラバースするのに伴って、継続的に、または所定の周期において、アップデートされ得る。
【００７０】
ある実施形態では、ｅＮＢ６０２は、ＳＲＳ伝送制御情報を各ＭＳに送信する。加えて、ｅＮＢ６０２は、各ＭＳのＳＲＳ伝送制御情報をＲＮ、ＲＮ０  ６０４、およびＲＮ１  ６０６に送信する。ＳＲＳ伝送制御情報は、ＳＲＳ伝送期間、測定量、ＳＲＳ構成、アップリンクタイミング情報、および他の情報を含み得る。順に、ＲＮ、ＲＮ０  ６０４、およびＲＮ１  ６０６は、伝送制御情報に従って、アップリンクＳＲＳ伝送を受信し、測定する。
【００７１】
ｅＮＢは、１つ以上のイベントの発生に基づいて、測定報告を送信するように、ＲＮをプログラムし得る。イベントの例は、閾値への到達またはタイマの終了を含む。ＲＮはまた、そのようにトリガされることなく、測定報告を周期的に伝送し得る。測定報告は、複数のユーザの測定報告を含み得る。ＲＮはまた、受信したＳＲＳ伝送からタイミング予測を行い得る。受信したＳＲＳ伝送はまた、タイミング整合調節のために使用され得る。ＲＮはまた、測定されたＳＲＳ信号強度に基づいて、ＵＥ関連付け決定を行い、ＵＥ関連付け決定をｅＮＢに報告し得る。
【００７２】
上述の情報に加え、ＭＳのＤＲＸ構成が、１つ以上のＲＮに転送され得る。ＤＲＸ構成の転送は、これらのＭＳが、ＤＲＸオフ持続時間中にＳＲＳを伝送しなくてもよいため、リリース８に有用となり得る。したがって、リリース８ＭＳの場合でも、１つ以上のＲＮが、ＭＳの好適な測定を行い得る。
【００７３】
図７は、本開示のある実施形態による、ＭＳ、ＲＮ、およびｅＮＢ間の通信プロシージャを示す。通信プロシージャ７００は、１つ以上のＲＮと接続しているＭＳ間に実装され得、例えば、ＭＳ１  ６１０またはＭＳ２  ６１２の一方あるいは両方が、図６のＲＮ０  ６０４またはＲＮ１  ６０６の一方あるいは両方と接続する。
【００７４】
図７に関して説明される実施形態では、ＲＮとのＭＳ関連付けは、初期ランダムアクセス信号に基づき得る。ＭＳ７０２のＲＮ７０４を介したｅＮＢ７０６への初期アクセス中にｅＮＢ７０６は、ＭＳ７０２からＲＡＣＨプリアンブルを受信する。ＲＮ７０４等の全ての接近ＲＮもまた、ＲＡＣＨプリアンブルを受信する。次いで、ｅＮＢ７０６は、ＭＳ７０２から直接受信した信号の質およびＲＮ７０４から中継されたＲＡＣＨプリアンブルチャネルの質インジケータ（ＣＱＩ）に基づいて、ＭＳ７０２をＲＮ７０４に関連付け得る。ＲＮ７０４等のＲＮはまた、受信したＲＡＣＨプリアンブル信号に基づいて、ＵＥ関連付け決定を行い、関連付けられたＵＥ識別をｅＮＢに報告し得る。
【００７５】
ｅＮＢ７０６は、ＰＤＣＣＨ指示（ＰＤＣＣＨ  ｏｒｄｅｒ）、ＭＡＣ制御要素、またはＲＲＣ信号伝達等の信号伝達を送信し、ＭＳ７０２に、関連付けのためのアップリンクランダムアクセスを行うように要求し得る。ｅＮＢ７０６からの信号伝達の受信後、ＭＳ７０２は、ランダムアクセスプリアンブルを伝送するであろう。
【００７６】
ある実施形態では、ＭＳ７０２は、完全ランダムアクセスプロシージャを行う必要がない場合がある。例えば、ＳＲＳ構成転送メッセージ７０８およびＳＲＳメッセージ７１０は、ＭＳ７０２をＲＮ７０４と関連付けるために十分であり得る。
【００７７】
代替実施形態では、ＭＳ関連付けは、上述のＳＲＳ方法（図６）とランダムアクセスプリアンブル方法（図７）を組み合わせることによって、達成され得る。ＭＳ７０２による初期アクセス中に、ｅＮＢ７０６は、受信したプリアンブル信号強度に基づいて、ＭＳ７０２をＲＮ７０４またはｅＮＢ７０６に関連付け得る。初期関連付け後、ＭＳ関連付け／切り離しが行われ、ＳＲＳメッセージ７１０におけるＭＳアップリンクＳＲＳ伝送によって、アプデートされ得る。
【００７８】
図８は、タイプ２ＲＮを初期化するための方法を示す工程図である。図８に示されるプロセスは、図１のＲＮ１０２等、ＲＮ内に実装され得る。図８に示されるプロセスは、図２から図５に関して説明されるプロシージャを使用して実装され得る。方法は、中継ノードの初期化に応じて、中継ノードとして、タイプ２中継ノードを識別するメッセージをエンコードするステップを含む（ブロック８００）。プロセスは、その後、終了する。
【００７９】
ある実施形態では、メッセージは、ＲＲＣ接続要求メッセージであり得る。この場合、値は、ＲＲＣ接続要求メッセージ内の確立原因に追加され得る。値は、アクセスノードに対して、タイプ２中継ノードが中継ノードであることを識別する。
【００８０】
別の実施形態では、メッセージは、ＲＲＣ接続設定完了メッセージである。この場合、タイプ２中継ノードは、ＲＲＣ接続設定完了が、コンテンツを欠いている時、アクセスノードに対して、中継ノードとして、識別される。
【００８１】
さらに別の実施形態では、メッセージは、ランダムアクセスチャネル（ＲＡＣＨ）メッセージを備える。この場合、プリアンブルは、アクセスノードに対して、タイプ２中継ノードが中継ノードであることを識別するために、ＲＡＣＨメッセージ内に分配される。分配されたプリアンブルは、所定のプリアンブルのプールから得られ得る。
【００８２】
図９は、ＲＮをＭＳと関連付けるための方法を示す工程図である。図９に示されるプロセスは、図１のＲＮ１０２等、ＲＮ内に実装され得る。図９に示されるプロセスは、図６および７に関連して説明されるプロシージャを使用して実装され得る。
【００８３】
プロセスは、ＲＮが、モバイルステーションから受信したサウンディング基準信号（ＳＲＳ）の信号強度を測定するのに伴って開始する（ブロック９００）。次いで、ＲＮは、信号強度が所定の閾値を超えるのに応答して、第１の要求をアクセスノードに伝送する（ブロック９０２）。第１の要求は、アクセスノードが、モバイルステーションを中継ノードと関連付けるためのものである。プロセスは、その後、終了する。
【００８４】
ある実施形態では、ＲＮは、第１の要求後、第２の要求をアクセスノードに伝送する。第２の要求は、信号強度が第２の所定の閾値を下回るのに応答して、伝送される。第２の要求は、アクセスノードが、モバイルステーションを中継ノードと切り離すためのものである。
【００８５】
別の実施形態では、ＲＮは、周期的に、信号強度を測定する。さらに別の実施形態では、ＲＮは、アクセスノードによって設定された条件が充足されると、信号強度の測定報告を生成する。条件は、信号強度の閾値およびタイマの終了、またはいくつかの他の条件のうちの１つであり得る。
【００８６】
さらに別の実施形態では、第１の要求は、モバイルステーションがアクセスノードのみと関連付けられること、モバイルステーションが１つ以上の中継ノードのみと関連付けられること、およびモバイルステーションがアクセスノードおよび１つ以上の中継ノードの両方と関連付けられることから成る群から選択される、１つのタイプの関連付けを確立する。
【００８７】
図１０は、ＲＮをＭＳと関連付けるための方法を示す、工程図である。図１０に示されるプロセスは、図１のアクセスノード１０６等、アクセスノード内に実装され得る。図１０に示されるプロセスは、図６および７に関連して説明されるプロシージャを使用して、実装され得る。
【００８８】
プロセスは、アクセスノードが、モバイルステーションから信号を受信するのに伴って開始し、信号は、信号強度を有する（ブロック１０００）。アクセスノードはまた、中継ノードから中継されたランダムアクセスチャネル（ＲＡＣＨ）要求を受信する（ブロック１００２）。中継されたＲＡＣＨ要求は、モバイルステーションから発生し、チャネルの質インジケータ（ＣＱＩ）を含むプリアンブルを含む。
【００８９】
次に、アクセスノードは、モバイルステーションに伝送される、応答メッセージをエンコードする（ブロック１００４）。応答メッセージは、モバイルステーションに、ランダムアクセスプロシージャを介して、中継ノードと関連するよう命令するようにエンコードされる。
【００９０】
ある実施形態では、応答メッセージは、物理的ダウンリンク制御チャネル（ＰＤＣＣＨ）指示、媒体アクセス層（ＭＡＣ）制御要素、または無線リソース制御（ＲＲＣ）信号伝達のうちの１つである。別の実施形態では、応答メッセージは、モバイルステーションに、プリアンブルを伝送するよう命令するようにエンコードされ得る。
【００９１】
さらに別の実施形態では、応答メッセージは、モバイルステーションに、完全未満のランダムアクセスプロシージャを使用することによって、中継ノードと関連付けるよう命令するようにエンコードされ得る。
【００９２】
上述のＭＳおよび他の構成要素は、上述の作用に関する命令を実行可能な処理構成要素を含む場合がある。図１１は、本明細書に開示される１つ以上の実施形態を実装するために好適な処理構成要素１１１０を含むシステム１１１５の実施例を例証する。プロセッサ１１１０（中央プロセッサユニットまたはＣＰＵと称され得る）に加えて、システム１１００は、ネットワーク接続デバイス１１２０と、ランダムアクセスメモリ（ＲＡＭ）１１３０と、読取専用メモリ（ＲＯＭ）１１４０と、二次記憶装置１１５０と、入力／出力（Ｉ／Ｏ）デバイス１１６０とを含む場合がある。これらの構成要素は、バス１１７０を介して相互に通信する場合がある。ある場合には、これらの構成要素のうちのいくつかは、存在しなくてもよく、または相互の組み合わせ、もしくは図示されない他の構成要素との種々の組み合わせとして、組み合わされ得る。これらの構成要素は、単一の物理的エンティティ内、または２つ以上の物理的エンティティ内に位置する場合がある。プロセッサ１１１０によって行われるように本明細書に説明されるいずれの作用も、プロセッサ１１１０のみ、またはデジタル信号プロセッサ（ＤＳＰ）１１９０等の、図中に示される、もしくは示されない１つ以上の構成要素と協働するプロセッサ１１１０によって行われる場合がある。ＤＳＰ１１９０は、別個の構成要素として示されているが、ＤＳＰ１１９０は、プロセッサ１１１０に組み込まれる場合がある。
【００９３】
プロセッサ１１１０は、それがネットワーク接続デバイス１１２０、ＲＡＭ１１３０、ＲＯＭ１１４０、または二次記憶装置１１５０（ハードディスク、フロッピー（登録商標）ディスク、または光ディスク等、種々のディスクベースのシステムを含む場合がある）からアクセスする場合がある、命令、コード、コンピュータプログラム、またはスクリプトを実行する。１つのＣＰＵ１１１０のみが示されているが、複数のプロセッサが存在し得る。したがって、命令が、プロセッサによって実行されているように述べられ得るが、命令は、同時に、順次、あるいは別様に１つまたは複数のプロセッサによって実行され得る。プロセッサ１１１０は、１つ以上のＣＰＵチップとして実装され得る。
【００９４】
ネットワーク接続デバイス１１２０は、モデム、モデムバンク、イーサネット（登録商標）デバイス、ユニバーサルシリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、符号分割多重アクセス（ＣＤＭＡ）デバイス、グローバルシステムフォーモバイルコミュニケーションズ（ＧＳＭ（登録商標））無線送受信機デバイス等の無線送受信機デバイス、マイクロ波アクセス用の世界的相互運用性（ＷｉＭＡＸ）デバイス、および／またはネットワークに接続するための他の周知のデバイスの形態を成し得る。これらのネットワーク接続デバイス１１２０は、プロセッサ１１１０が情報を受信するか、またはプロセッサ１１１０が情報を出力するインターネット、あるいは１つ以上の電気無線通信ネットワークまたは他のネットワークと、プロセッサ１１１０が通信することを可能にし得る。また、ネットワーク接続デバイス１１２０は、データを無線で伝送および／または受信可能な１つ以上の送受信機構成要素１１２５を含む場合がある。
【００９５】
ＲＡＭ１１３０を使用して、揮発性データ、および可能性として、プロセッサ１１１０によって実行される命令を記憶する場合がある。ＲＯＭ１１４０は、典型的には、二次記憶装置１１５０のメモリ容量より小さいメモリ容量を有する、不揮発性メモリデバイスである。ＲＯＭ１１４０を使用して、命令、および可能性として、命令の実行中に読み取られるデータを記憶する場合がある。ＲＡＭ１１３０およびＲＯＭ１１４０の両方へのアクセスは、典型的には、二次記憶装置１１５０へのアクセスよりも高速である。二次記憶装置１１５０は、典型的には、１つ以上のディスクドライブまたはテープドライブから成り、ＲＡＭ１１３０が全ての作業用データを保持するのに十分大きくない場合、データの不揮発性保存用に、またはオーバーフローデータ記憶デバイスとして使用される場合がある。二次記憶装置１１５０は、プログラムが実行のために選択されると、ＲＡＭ１１３０へロードされる、プログラムを記憶するために使用され得る。
【００９６】
Ｉ／Ｏデバイス１１６０は、液晶ディスプレイ（ＬＣＤ）、タッチスクリーンディスプレイ、キーボード、キーパッド、スイッチ、ダイヤル、マウス、トラックボール、音声認識装置、カードリーダ、紙テープ読取機、プリンタ、ビデオモニタ他の周知の入出力デバイスを含み得る。また、送受信機１１２５は、ネットワーク接続デバイス１１２０の構成要素である代わりに、またはそれに加えて、Ｉ／Ｏデバイス１１６０の構成要素であると見なされる場合がある。上述のシステム１１１５の構成要素の１つ以上は、本明細書では、「構成要素」と称され得る。
【００９７】
実施形態は、アクセスノードに伝送されるメッセージであって、中継ノードの初期化の際、中継ノードとして、該中継ノードを識別するために使用されるメッセージをエンコードするように構成される、１つ以上の構成要素を含む、中継ノードを提供する。実施形態はまた、アクセスノードに伝送されるメッセージであって、中継ノードの初期化の際、中継ノードとして、該中継ノードを識別するために使用されるメッセージをエンコードするための方法と、方法を実装するためのコードを格納する、コンピュータ可読記憶媒体を提供する。実施形態はさらに、中継ノードから受信したメッセージをデコードし、メッセージから、中継ノードとして、該中継ノードを識別するように構成される、１つ以上の構成要素を提供する。
【００９８】
さらに他の実施形態では、モバイルステーションから受信したサウンディング基準信号（ＳＲＳ）の信号強度を測定し、信号強度が所定の閾値を上回るのに応答して、第１の要求をアクセスノードに伝送るうように構成される１つ以上の構成要素を含む、中継ノードが提供される。第１の要求は、アクセスノードが、モバイルステーションを中継ノードと関連付けるためのものである。実施形態はまた、上述を実装するための方法を提供する。
【００９９】
さらに他の実施形態では、モバイルステーションを中継ノードと関連付けるための第１の要求を受信するように構成される、１つ以上の構成要素を含む、アクセスノードが提供される。第１の要求は、モバイルステーションから受信したサウンディング基準信号（ＳＲＳ）の信号強度が所定の閾値を上回ることを中継ノードが決定した結果、伝送される。
【０１００】
実施形態はまた、モバイルステーションからランダムアクセスチャネル（ＲＡＣＨ）伝送を受信し、受信したＲＡＣＨ伝送の信号強度を検出し、中継ノードから中継されたＲＡＣＨ報告を受信するように構成される、１つ以上の構成要素を含む、アクセスノードを提供する。実施形態はまた、上述を実装するための方法を提供する。
【０１０１】
さらに他の実施形態では、中継されたランダムアクセスチャネル（ＲＡＣＨ）報告をアクセスノードに伝送するように構成され、中継されたＲＡＣＨ報告が、中継ノードによって、モバイルステーションから受信したＲＡＣＨの信号の質を含む、１つ以上の構成要素を含む、中継ノードが提供される。
【０１０２】
本開示において複数の実施形態を提供してきたが、開示されたシステムおよび方法は、本発明の精神または範囲から逸脱することなく、多数の他の特定の形態で具体化され得ることを理解されたい。本実施例は、制限的ではなく例証的と見なされ、本明細書で提供される詳細に限定されることを意図しない。例えば、種々の要素または構成要素を、別のシステムに組み入れるか、または一体化し得、あるいは、ある特徴を省略するか、または実装しなくてもよい。
【０１０３】
また、離散したものまたは別個のものとして種々の実施形態の中で説明および例証される技術、システム、サブシステム、および方法は、本開示の範囲から逸脱することなく、他のシステム、モジュール、技術、または方法と組み合わせても、または一体化し得る。連結もしくは直接連結または相互に通信するように図示または説明される他のアイテムは、電気的、機械的、またはその他の方法かどうかにかかわらず、何らかのインターフェース、デバイス、または中間構成要素を通して、間接的に連結または通信し得る。変更、置換、および改変の他の例は、当業者により解明可能であり、本明細書で開示される精神および範囲から逸脱することなく行うことが可能である。
【図１】
0005642167.tif 000002
【図２】
0005642167.tif 000003
【図３】
0005642167.tif 000004
【図４】
0005642167.tif 000005
【図５】
0005642167.tif 000006
【図６】
0005642167.tif 000007
【図７】
0005642167.tif 000008
【図８】
0005642167.tif 000009
【図９】
0005642167.tif 000010
【図１０】
0005642167.tif 000011
【図１１】
0005642167.tif 000012